(57)【要約】【課題】  モノラル出力とステレオ出力とを最適に切り換えて使い勝手の向上を図る。【解決手段】  無線送受信回路部６を介して受信した音声入力に基づくモノラル出力と再生音響信号に基づくステレオ出力との切り換えを行う出力切換回路部２４を有するとともに、筐体４に内部スピーカ２０とともに外部スピーカとしてステレオイヤホン１３が着脱されるジャック１４とが設けられ、携帯電話機２を中継するハンズフリー通話には内部スピーカ２０から音声がモノラル出力され、非通話時にはジャック１４に接続されたステレオイヤホン１３から音響信号がステレオ出力される。【選択図】  図２
2006186904.tif 000002
【特許請求の範囲】
【請求項１】
筐体内に、近距離無線方式の無線送受信モジュールと、内部スピーカと、マイクロホンとが設けられ、前記筐体に設けた耳掛け部を介して使用者の耳殻に装着することによって前記無線送受信モジュールを介して携帯電話機を中継して相手側とのハンズフリー通話を行う機能と、音響信号を再生出力する機能とを有するヘッドセット装置であり、
前記筐体に、前記無線送受信モジュールを介して受信した音声入力に基づくモノラル出力と音響信号に基づくステレオ出力との切り換えを行う出力切換回路部と、外部スピーカとしてステレオイヤホンが着脱されるジャックとが設けられ、
前記携帯電話機を中継するハンズフリー通話には前記内部スピーカから音声がモノラル出力されるとともに、前記ジャックに接続された前記ステレオイヤホンから音響信号がステレオ出力されることを特徴とするヘッドセット装置。
【請求項２】
前記筐体に内部メモリが設けられ、この内部メモリに前記無線送受信モジュールで受信した音響信号や外部記憶媒体から読み出した音響信号を記憶することを特徴とする請求項１に記載のヘッドセット装置。
【請求項３】
前記出力切換回路部が、前記音響信号のステレオ出力時に前記携帯電話機で着信応答が行われると、前記音響信号のステレオ出力から前記ハンズフリー通話のモノラル出力の切り換え動作を行うことを特徴とする請求項１又は請求項２に記載のヘッドセット装置。
【発明の詳細な説明】
【技術分野】
【０００１】
本発明は、携帯電話機等の外部機器と無線接続されて信号の授受が行われ、例えば使用者が耳殻に装着して使用することによりハンズフリー通話を可能とするヘッドセット装置に関する。
【背景技術】
【０００２】
携帯電話機は、道路交通法の改正により運転中に筐体を把持した状態のままでの通話行為に対する罰則規定の強化によって、筐体を把持することなくハンズフリー通話を可能とする付属装置としてヘッドセット装置等の使用が注目されている。ヘッドセット装置は、近距離無線方式によって電話機本体との接続を行う無線送受信回路部とスピーカとマイクロホンとを有して使用者の頭部等に装着して用いられる。ヘッドセット装置は、電話機本体を把持することなく通話を可能としていわゆるハンズフリー機能を付加して使い勝手の向上が図られるようにする。
【０００３】
ヘッドセット装置は、携帯電話機との無線接続を近距離無線方式、例えばブルートゥース（Bluetooth）無線方式により行われる。ブルートゥース無線方式は、２．４ＧＨｚ周波数帯域の搬送電波を用いる１０ｍ程度の近距離間に設置された携帯電話機やパーソナルコンピュータ或いはデジタル機器間を無線により相互接続することを可能とする。ブルートゥース無線方式は、ブルートゥースモジュールが、比較的廉価で汎用性が大きく、また小型軽量で低消費電力化も図られていることから各種のモバイル機器への搭載が図られている。ブルートゥースモジュールを備えたヘッドセット装置としては、例えば特許文献１に提案されている。
【特許文献１】特開２００４−１２０３１３号公報
【発明の開示】
【発明が解決しようとする課題】
【０００４】
ところで、ヘッドセット装置においては、その機能上、小型軽量で低消費電力の仕様が必須であることから、従来ではもっぱらハンズフリー通話を行うための単機能の付属装置として位置付けられており、携帯電話機との無線接続を行うためのブルートゥース機能や入出力手段としてのスピーカ及びマイクロホンのみが搭載されていた。一方、車の運転に際して、運転手は、一般にカーラジオやカーオーディオ等からの放送番組や音楽等を聴きながら運転を行うことによって気分転換を図り、運転の緊張を和らげるようにしている。
【０００５】
ヘッドセット装置は、上述したように運転をしながらでも携帯電話機を中継して比較的安全にハンズフリー通話を行うことを可能とするが、不意の着信に対していつでも応答可能な待機状態を保持するためには頭部に装着した状態のままで用いられる。ヘッドセット装置は、着信の待機状態を優先させるために、運転手にカーオーディオ等からの音楽等を聴くことができない環境をつくる。また、ヘッドセット装置は、小型化を図るために１個のスピーカが内蔵されており、折角のステレオ音楽であってもモノラル出力でしか聞くことができなかった。
【０００６】
したがって、本発明は、モノラル出力とステレオ出力とを最適に切り換えて使い勝手の向上を図るヘッドセット装置を提供することを目的に提案されたものである。
【課題を解決するための手段】
【０００７】
上述した目的を達成する本発明にかかるヘッドセット装置は、筐体内に、近距離無線方式の無線送受信モジュールと、内部スピーカと、マイクロホンとが設けられ、筐体に設け
た耳掛け部を介して使用者の耳殻に装着することによって無線送受信モジュールを介して携帯電話機を中継して相手側とのハンズフリー通話を行う機能と、音響信号を再生出力する機能とを有する。ヘッドセット装置は、無線送受信モジュールを介して受信した音声入力に基づくモノラル出力と再生音響信号に基づくステレオ出力との切り換えを行う出力切換回路部を有するとともに、筐体に、内部スピーカとともに外部スピーカとしてステレオイヤホンが着脱されるジャックとが設けられる。ヘッドセット装置は、携帯電話機を中継するハンズフリー通話には内部スピーカから音声がモノラル出力されるとともに、非通話時にはジャックに接続された前記ステレオイヤホンから音響信号がステレオ出力される。
【０００８】
また。ヘッドセット装置は、筐体に内部メモリが設けられ、この内部メモリに無線送受信モジュールで受信した音響信号を記憶し、必要に応じてジャックに接続されたステレオイヤホンからステレオ出力する。
【０００９】
さらに、ヘッドセット装置は、出力切換回路部が、音響信号のステレオ出力時に携帯電話機で着信応答が行われると、音響信号のステレオ出力からハンズフリー通話のモノラル出力の切り換え動作を行う。ヘッドセット装置は、出力の切換え操作を不要として、安全運転が行われるようにする。
【発明の効果】
【００１０】
以上のように構成された本発明にかかるヘッドセット装置によれば、筐体に設けたステレオ出力を行うジャックにステレオイヤホンを接続することにより、自動車の運転中でも常時装着することによって着信に備えながら音楽等をステレオ出力で聴取することが可能となる。したがって、ヘッドセット装置によれば、運転時の着信に対して装着操作を行う煩わしさを無くして安全運転が行われるようにするとともに、音楽等をステレオ出力で聞くことを可能として運転の緊張を緩和して気分転換が図られるようにする。
【発明を実施するための最良の形態】
【００１１】
以下、本発明の実施の形態について図面を参照して詳細に説明する。実施の形態として示したヘッドセット装置１は、詳細を後述するようにブルートゥース無線方式に基づく無線接続機能（以下、ブルートゥース機能と称する。）と、ユニバーサルシリアルバス規格に基づく接続機能（以下、ＵＳＢ機能と称する。）とを備える。ヘッドセット装置１は、ブルートゥース機能に設定（以下、ブルートゥースモードと称する。）した状態で、図１に示すように使用者Ｍの頭部に装着することによって携帯電話機２と無線接続される。ヘッドセット装置１は、使用者Ｍが携帯電話機２を中継装置として、この携帯電話機２を把持することなく接続先との通話を行うことを可能とさせ、いわゆるハンズフリー通話機能が奏されるようにする。
【００１２】
また、ヘッドセット装置１は、ブルートゥースモードに設定して、携帯電話機２或いはパーソナルコンピュータ３等のシステム構成機器と接続されることにより情報等の授受を行う周辺機器を構成する。ヘッドセット装置１は、ＵＳＢ機能に設定(以下、ＵＳＢモードと称する。）して、携帯電話機２或いはパーソナルコンピュータ３等のシステム構成機器とケーブルを介して直接接続されることにより、各種の情報等の授受を行う周辺機器を構成する。
【００１３】
ヘッドセット装置１は、詳細を後述するように筐体４にアーム上の耳掛け部材５が設けられており、筐体４によって使用者Ｍの耳穴を塞ぐようにして耳掛け部材５を使用者Ｍの耳殻に装着して用いられる。ヘッドセット装置１には、筐体４に、ブルートゥース無線方式仕様の無線送受信回路部６を接続するアンテナ７及びＵＳＢケーブル１５が接続されるＵＳＢコネクタ８が設けられている。ヘッドセット装置１には、筐体４に、メモリカード等の外部メモリ媒体９が着脱される外部メモリスロット１０が設けられている。
【００１４】
ヘッドセット装置１には、耳殻に装着した状態で外側となる筐体４の一方主面に、図３に点線で示す小型の液晶表示器１１が設けられている。液晶表示器１１は、ヘッドセット装置１が携帯電話機２或いはパーソナルコンピュータ３等との接続が行われて信号の授受が行われる際に、信号授受の状態等を表示する。液晶表示器１１は、ヘッドセット装置１が内部メモリモードや外部メモリモードに設定した状態で、情報等の処理内容等を表示する。液晶表示器１１は、ヘッドセット装置１の種々の操作内容や情報等を表示する。
【００１５】
ヘッドセット装置１には、液晶表示器１１を設けた筐体４の主面に、図示しないが複数個の押しボタンを配列して操作部が設けられている。操作部は、例えばヘッドセット装置１の電源オンオフ操作、ブルートゥースモードやＵＳＢモード或いは各種モードの切替操作、液晶表示器１１の表示切換操作或いはボリューム調整操作等を行う。ヘッドセット装置１は、例えば操作部の操作ガイダンスを液晶表示器１１に表示するようにしてもよい。
【００１６】
ヘッドセット装置１には、図示しないが充電可能な二次電池が内蔵されており、内部の各回路部や液晶表示器１１等に電源を供給する。ヘッドセット装置１は、図３に示すように筐体４が合成樹脂材によって下方部位をカットされた略卵形の外観を呈しており、この筐体４のカットされた部位にキャップ体１２が組み合わされるとともに頂点部位に耳掛け部材５が突出して設けられる。ヘッドセット装置１は、外部メモリスロット１０や後述するステレオイヤホン１３を着脱するステレオ出力ジャック１４が筐体４に開口して設けられている。
【００１７】
ヘッドセット装置１は、筐体４の下方部位にＵＳＢコネクタ８や二次電池の充電用コネクタが設けられており、未使用時にキャップ体１２によって覆われるようにされる。ＵＳＢコネクタ８には、周知のハブ構造を有するＵＳＢケーブル１５が接続されることから、筐体４から突出させて設ける必要がある。ヘッドセット装置１においては、上述したように筐体４にキャップ部材１２を組み合わせることにより未使用時にＵＳＢコネクタ８が被覆されるようにすることで、このＵＳＢコネクタ８を保護するとともに耳殻に装着した状態で耳当たりを良好としかつ外観が保持されるようにする。ヘッドセット装置１においては、同様にして充電用コネクタもキャップ部材１２によって覆われるようにする。
【００１８】
ヘッドセット装置１は、耳掛け部材５が、筐体４に対して、その頂点部位に一端部を固定されるとともに筐体４の第１側面に沿って片持ち状態で組み付けられている。耳掛け部材５は、ゴム系材或いは合成樹脂材によって弾性変形が自在な弧状のアーム体によって構成されており、筐体４の第２主面を耳穴にあてがった状態で筐体４の側方側に拡げて使用者Ｍの耳殻に対して装着操作が行われる。耳掛け部材５は、筐体４の側縁部との間で耳殻を挟み込むことで、ヘッドセット装置１を筐体４の主面が耳穴にあてがわれた状態で保持されるようにする。なお、耳掛け部材５は、ヘッドセット装置１の未使用時において、適宜の構造により筐体４に収納されるようにして邪魔にならないようにしてもよい。耳掛け部材５は、筐体４と一体に形成されるようにしてもよく、また筐体４に対して着脱自在として使用時にのみ取り付けるようにしてもよい。
【００１９】
外部メモリスロット１０は、筐体４の側面に開口して設けられている。外部メモリスロット１０は、詳細を省略するが外部メモリ媒体９の断面寸法よりもわずかに大き目の開口寸法を有しており、内部に外部メモリ媒体９に設けられた所定のピン数を有するコネクタに対応してコネクタが備えられている。ヘッドセット装置１には、外部メモリスロット１０の内部に詳細を省略する再生処理部１６が設けられており、外部メモリスロット１０に装填された外部メモリ媒体９から記憶された種々の情報を再生して内部メモリ１７に格納させる。
【００２０】
ヘッドセット装置１には、耳殻に装着した状態で内側となる筐体４の主面に、図３に示すようにスピーカ孔１８とマイク孔１９とが設けられている。ヘッドセット装置１には、詳細を省略するが筐体４の内部に、スピーカ孔１８と対向して内部スピーカ２０が配置されるとともにマイク孔１９と対向してマイクロホン２１が配置されている。なお、ヘッドセット装置１は、上述したように筐体４の下方部位に対してキャップ部材１２を組み合わせる構造であることから、キャップ部材１２側にマイク孔１９とマイクロホン２１とを設けるようにしてもよい。ヘッドセット装置１は、かかる構造の場合に、筐体４とキャップ部材１２とにコネクタ構造を設けて、マイクロホン２１が筐体４側の回路部に接続されるようにする。
【００２１】
ヘッドセット装置１においては、携帯電話機２から送信された音声信号や内部メモリ１７或いは外部メモリ媒体９から再生した音響信号が内部スピーカ２０から再生出力されるようにする。ヘッドセット装置１においては、例えばブルートゥースモードに設定した状態で、使用者Ｍの音声がマイクロホン２１によって集音され、音声信号に変換されて携帯電話機２に送信されるようにして、この携帯電話機２から相手側への送信が行われる。
【００２２】
ヘッドセット装置１は、図２に示すように、無線送受信回路部６と、この無線送受信回路部６に接続された音声信号処理部２２と、ステレオ出力ジャック１４に設けられてステレオイヤホン１３の接続を検出する検出部２３と、音声信号処理部２２からの出力をモノラル出力とステレオ出力とに切り換える出力切換回路部２４とを備える。ヘッドセット装置１は、内部メモリ１７やＵＳＢコネクタ８に接続された信号処理部２５を備える。ヘッドセット装置１は、図示しないが各部の動作を制御するＣＰＵ（Central Processing Unit）や電源回路部等を備える。
【００２３】
ヘッドセット装置１は、上述した各回路部を構成するモジュール部品や電子部品或いはＬＳＩ素子やＩＣ素子が高集積化の対応を図られた実装基板に実装され、この実装基板が筐体４の内部に収納されて構成される。ヘッドセット装置１は、実装基板に上述した液晶表示器１１や内部スピーカ２０或いはＵＳＢコネクタ８やステレオ出力ジャック１４等を所定の位置に搭載することによって、基板数を減らして構造や組立工程の簡易化が図られている。ヘッドセット装置１においては、筐体４側にマイクロホン２１を備える場合に、このマイクロホン２１も実装基板に実装されるようにする。
【００２４】
ヘッドセット装置１は、無線送受信回路部６やアンテナ７が１チップ化されたいわゆるブルートゥースモジュールによって構成され、ブルートゥース無線方式により携帯電話機２と無線接続されてハンズフリー通話を行うようにする。また、ヘッドセット装置１は、ブルートゥース無線方式によりパーソナルコンピュータ３等と無線接続されて各種情報の授受を行うようにする。ヘッドセット装置１は、ＵＳＢコネクタ８に接続された信号処理部２５が１チップ化されたいわゆるＵＳＢモジュールによって構成され、ＵＳＢケーブル１５を介して携帯電話機２やパーソナルコンピュータ３と接続されて各種情報の授受を行うようにする。なお、ヘッドセット装置１は、図示しないがブルートゥース無線機能やＵＳＢ機能を有するカーナビゲーションやカーオーディオ機器等との接続も可能である。
【００２５】
ヘッドセット装置１は、無線送受信回路部６が、上述したように無線接続された携帯電話機２やパーソナルコンピュータ３からの送信情報を音声信号処理部２２へと供給する。ヘッドセット装置１は、携帯電話機２に着信があった場合に、無線送受信回路部６が着信検出信号を出力切換回路部２４や制御部へと出力する。ヘッドセット装置１においては、現に内部スピーカ２０やステレオイヤホン１３から音響信号の再生操作が行われている状態であっても、無線送受信回路部６からの着信検出信号に基づいてハンズフリー通話モードへの切換が行われて出力切換回路部２４が音響信号の再生出力モードから携帯電話機２を介しての音声信号の出力モードに切り換える動作が行われるようにする。
【００２６】
ヘッドセット装置１は、内部メモリ１７と外部メモリ媒体９とを利用することにより大きな容量の音響信号を保有し、内部スピーカ２０或いはステレオイヤホン１３から出力することが可能である。ヘッドセット装置１は、内部メモリ１７にＲＡＭ（Random Access Memory）を用いることによって適宜の情報が書き込み及び読み出し可能とされる。ヘッドセット装置１は、ブルートゥースモードの設定状態において、無線接続された携帯電話機２やパーソナルコンピュータ３から送信され無線送受信回路部６で受信して音声信号処理部２２で所定の処理を施した音響信号を内部メモリ１７に格納することが可能である。
【００２７】
ヘッドセット装置１は、ＵＳＢモードの設定状態において、ＵＳＢケーブル１５を介して接続されたパーソナルコンピュータ３等から供給された音響信号を信号処理部２５において所定の信号処理を施して内部メモリ１７に格納することが可能である。また、ヘッドセット装置１は、外部メモリスロット１０に装填した外部メモリ媒体９に記憶された音響信号を再生処理部１６によって再生して、内部メモリ１７に格納することが可能である。なお、ヘッドセット装置１は、ＵＳＢ接続された図示しないカーナビケーション装置やＤＶＤ等から再生した音響信号を内部メモリ１７に格納することが可能である。
【００２８】
ステレオ出力ジャック１４は、周知のようにＲ音響信号の出力端子とＬ音響信号の出力端子とを有しており、ステレオイヤホン１３のプラグ２６が接続されることによってＲ音響信号とＬ音響信号とを切り分けて再生出力する。ステレオイヤホン１３は、Ｒチャンネルスピーカ２７とＬチャンネルスピーカ２８とを有しており、これら両スピーカ２７、２８がそれぞれＲコード２７ａとＬコード２８ａとを介してプラグ２６と接続されている。なお、ステレオイヤホン１３は、例えばＲチャンネルスピーカ２７とＬチャンネルスピーカ２８とを伸縮自在なバンドで一体化した、いわゆるヘッドホン型で構成してもよい。
【００２９】
ヘッドセット装置１においては、上述したようにステレオイヤホン１３がＲコード２７ａとＬコード２８ａによって接続されたＲチャンネルスピーカ２７とＬチャンネルスピーカ２８とを備えるようにしたが、例えば内部スピーカ２０をＲチャンネルスピーカ２７又はＬチャンネルスピーカ２８として利用するようにしてもよい。ヘッドセット装置１においては、かかる構成の場合にステレオイヤホン１３がステレオ出力ジャック１４に対してＬチャンネルスピーカ２８又はＲチャンネルスピーカ２７のいずれか一方のみを接続するようにする。また、ヘッドセット装置１においては、ステレオ出力ジャック１４に対して出力切換回路部２４からＲ音響信号又はＬ音響信号のいずれか一方を供給するとともに内部スピーカ２０に対して他の音響信号を供給する。
【００３０】
ヘッドセット装置１は、検出部２３が、例えばステレオ出力ジャック１４に付設された接続センサによって構成され、このステレオ出力ジャック１４にステレオイヤホン１３が接続されたことを検出して接続検出信号を出力する。検出部２３は、ステレオイヤホン１３の接続検出信号を出力切換回路部２４へと出力して、音声信号処理部２２から出力される音声信号と音響信号との出力切換を行わせる。出力切換回路部２４は、音声信号処理部２２からモノラル信号の音声信号を出力する場合に、内部スピーカ２０を選定してモノラル出力が行われるようにする。出力切換回路部２４は、音声信号処理部２２からステレオ信号の音響信号を出力する場合に、ステレオ出力ジャック１４を選択して接続されたステレオイヤホン１３のＲチャンネルスピーカ２７とＬチャンネルスピーカ２８とからステレオ出力が行われるようにする。
【００３１】
以上のように構成されたヘッドセット装置１においては、車を運転する際に、使用者Ｍが操作部の押しボタン操作を行って電源をオン状態とするとともにハンズフリー通話モードの設定が行われる。ヘッドセット装置１においては、ステレオ出力ジャック１４にステレオイヤホン１３のプラグ２６が接続されることによって、検出部２３からステレオイヤ
ホン１３の接続検出信号が出力切換回路部２４へと出力さてステレオ再生出力モードに自動設定される。なお、携帯電話機２は、電源状態で図１に示すように例えばコンソールボックス等に設置された自動転送機能を有する携帯電話機ホルダ２９に差し込まれる。
【００３２】
ヘッドセット装置１は、筐体４がスピーカ孔１８を耳穴に対向位置させて使用者Ｍの耳に当てがわれるとともに耳掛け部材５を拡げて耳殻に掛け合わすことにより装着される。使用者Ｍは、ステレオ出力ジャック１４に接続したステレオイヤホン１３のＬチャンネルスピーカ２８とＲチャンネルスピーカ２７とがそれぞれ両耳に装着される。
【００３３】
ヘッドセット装置１においては、例えば操作部によって内部メモリ１７に格納した音楽情報を選択して再生する再生モードの設定操作が行われると、内部メモリ１７に格納された所定の音響信号が選択されて音声処理部２２へと供給される。ヘッドセット装置１においては、音声処理部２２においてこの音響信号に対して所定の音声処理を施して出力切換回路部２４へと供給する。ヘッドセット装置１においては、上述したようにステレオ再生出力モードに設定されていることから、音声処理部２２から出力される音響信号が、出力切換回路部２４によって選択されたステレオ出力ジャック１４へと供給され、ステレオイヤホン１３から音響信号がステレオ再生されるようにする。
【００３４】
ヘッドセット装置１においては、例えば外部メモリ媒体９を外部メモリスロット１０に装填して記録した音響信号を再生する再生モードの設定操作が行われると、再生処理部１６によって外部メモリ媒体９から所定の音響信号が再生され、内部メモリ１７と音声信号処理部２２とを介して或いは直接出力切換回路部２４へと供給される。ヘッドセット装置１においては、外部メモリ媒体９から再生された音響信号がステレオイヤホン１３からステレオ再生されるようにする。なお、ヘッドセット装置１においては、ＵＳＢ接続されたカーナビゲーション装置等から供給される音響信号も、ステレオイヤホン１３からステレオ再生されるようにする。
【００３５】
ヘッドセット装置１においては、上述したように筐体４に設けたステレオ出力ジャック１４にステレオイヤホン１３を接続することによって、出力切換回路部２４から出力されるステレオ音響信号をステレオモードで聞くことが可能とする。したがって、ヘッドセット装置１においては、自動車の運転中でも常時装着することによって着信に備えながら音楽等を音質が良好なステレオ出力で聞くことを可能として運転者Ｍに運転の緊張を緩和させて気分転換が図られるようにする。
【００３６】
ヘッドセット装置１においては、上述したステレオイヤホン１３によって音響信号の再生出力を楽しんでいる状態で、携帯電話機２に着信が有った場合にハンズフリー通話モードへの自動切換が行われる。携帯電話機２は、例えばドライブモードに設定して携帯電話機ホルダ２９に装填されており、着信に基づいて所定回数の呼出し後にブルートゥース無線方式によってヘッドセット装置１に対して着信報知を行う。なお、着信報知の方法は、かかる手順に限定されないことは勿論である。
【００３７】
ヘッドセット装置１においては、携帯電話機２からの着信報知を無線送受信回路部６において検出し、この無線送受信回路部６から出力切換回路部２４や制御部に着信検出信号が出力される。ヘッドセット装置１においては、着信検出信号に基づいて制御部から音響信号の再生モードからハンズフリー通話モードへの切換指示が行われ、出力切換回路部２４において音響信号の再生出力動作から携帯電話機２を介しての音声信号の出力モードに切り換える動作が行われるようにする。
【００３８】
ヘッドセット装置１においては、ブルートゥース無線方式によって携帯電話機２との無線接続が行われ、携帯電話機２を中継してアンテナ７を介して無線送受信回路部６で受信
した相手側の音声を音声信号処理部２２において所定の処理を施して出力切換回路部２４へと供給する。ヘッドセット装置１においては、音声信号が出力切換回路部２４から内部スピーカ２０へと供給され、この内部スピーカ２０からモノラル出力されるようにする。ヘッドセット装置１においては、音声信号を内部スピーカ２０からモノラル出力することにより、使用者Ｍが明瞭に聞き取れるようにする。
【００３９】
ヘッドセット装置１においては、使用者Ｍの音声がマイクロホン２１によって集音されて音声信号処理部２２へと供給されて所定の処理を施され、無線送受信回路部６とアンテナ７とを介して携帯電話機２へと送信される。携帯電話機２は、使用者Ｍの音声信号を相手側へと送信してハンズフリー通話が行われるようにする。なお、ヘッドセット装置１においては、通話の終了とともに携帯電話機２から出力される通話終了信号に基づいて制御部からハンズフリー通話モードから音響信号の再生モードへの切換指示が行われ、出力切換回路部２４において携帯電話機２を介しての音声信号の出力動作から音響信号の再生モードへの切り換える動作が行われるようにする。ヘッドセット装置１においては、上述した音響信号の再生動作にしたがって、音響信号のステレオ再生動作が再開される。
【００４０】
ヘッドセット装置１については、代表的な使用例を上述したが、ブルートゥース機能やＵＳＢ機能或いは内部メモリ１７と外部メモリ媒体９とを巧に使い分けることによって、さらに大量の音楽情報等を多様に処理することが可能である。ヘッドセット装置１においては、携帯電話機２とハンズフリー通話以外の使用形態中に携帯電話機２に着信があった場合に、ステレオイヤホン１３から着信報知が行われるように構成してもよい。
【図面の簡単な説明】
【００４１】
【図１】実施の形態として示すヘッドセット装置を使用者の耳殻に装着して使用する状態の説明図である。
【図２】同ヘッドセット装置の構成ブロック図である。
【図３】同ヘッドセット装置の背面図である。
【符号の説明】
【００４２】
１        ヘッドセット装置
２        携帯電話機
３        パーソナルコンピュータ
４        筐体
５        耳掛け部材
６        無線送受信回路部
７        アンテナ
８        ＵＳＢコネクタ
９        外部メモリ媒体
１１      液晶表示器
１２      キャップ部材
１３      ステレオイヤホン
１４      ステレオ出力ジャック
１７      内部メモリ
２０      スピーカ
２１      マイクロホン
２２      音声信号処理部
２３      検出部
２４      出力切換回路部
２５      信号処理部
２７      Ｒチャンネルスピーカ
２８      Ｌチャンネルスピーカ
２９      携帯電話機ホルダ
【図１】
2006186904.tif 000003
【図２】
2006186904.tif 000004
【図３】
2006186904.tif 000005